(57)【要約】【課題】  簡易な構成によって、一対の屋内壁面が直角に交わる入隅部において、柱に支持させて一対のボード板の端部同士を隙間無く精度良く接合することを可能にする入隅部取付け構造を提供する。【解決手段】  ビス１３をネジ込み貫通させることが可能な厚さの帯板状の薄鉄板２２を用いて形成された、基板部１４とこれ中央部分から垂直に延設する突出板部１５とからなるＴ字断面形状を有するボード下地金物１０を、接合部分１６を柱１２の角部に沿わせて配置すると共に、基板部１４の一方の部分１８の背面を柱１２に密着させ、ビス１３をネジ込むことにより、基板部１４の他方の部分１９と突出板部１５とを各壁面２１ａ，２１ｂ方向に沿って突出させる。一方のボード板１１ａの端部を、突出板部１５に沿わせて固定すると共に、他方のボード板１１ｂの端部を、基板部１４の他方の部分１９に沿わせて固定する。【選択図】      図２
2005232699.tif 000002
【特許請求の範囲】
【請求項１】
屋内の入隅部において、屋内壁面を構成する一対のボード板を柱に支持させて取り付けるための屋内壁用ボード板の入隅部取付け構造であって、
ビスをネジ込み貫通させることが可能な厚さの帯板状の薄鉄板を用いて形成された、基板部と該基板部の中央部分から垂直に延設する突出板部とからなるＴ字断面形状を有するボード下地金物を、前記基板部と前記突出板部との接合部分を前記柱の角部に沿わせて配置すると共に、前記基板部の前記突出板部を挟んだ一方の部分の背面を前記柱に密着させ、前記柱に向けてビスをネジ込むことにより、前記基板部の前記突出板部を挟んだ他方の部分と前記突出板部とを前記入隅部の各壁面方向に沿って突出させた状態で前記ボード下地金物を前記柱に固定し、
前記入隅部の一方の屋内壁面を構成するボード板の側端部を、前記基板部の前記突出板部を挟んだ他方の部分に沿わせてビスをネジ込んで固定すると共に、前記入隅部の他方の屋内壁面を構成するボード板の側端部を前記突出板部に沿わせてビスをネジ込んで固定することにより、前記一対のボード板の各側端部を前記柱に支持させて取り付ける屋内壁用ボード板の入隅部取付け構造。
【請求項２】
前記帯板状の薄鉄板は、０．５〜１．２ｍｍの厚さを備える請求項１に記載の屋内壁用ボード板の入隅部取付け構造。
【請求項３】
前記基板部の前記突出板部を挟んだ他方の部分には、前記接合部分に近接して、これと平行に延設する直角段差部が設けられており、該直角段差部を前記柱の角部に係止した状態で、前記ボード下地金物を前記柱に固定する請求項１又は２に記載の屋内壁用ボード板の入隅部取付け構造。
【請求項４】
請求項１〜３のいずれかに記載の屋内壁用ボード板の入隅部取付け構造に用いるボード下地金物であって、０．５〜１．２ｍｍの厚さの帯板状の薄鉄板により、基板部と該基板部の中央部分から垂直に延設する突出板部とからなるＴ字断面形状に形成され、前記基板部と前記突出板部との接合部分を前記柱の角部に沿わせて配置すると共に、前記基板部の前記突出板部を挟んだ一方の部分の背面を前記柱に密着さることにより、前記基板部の前記突出板部を挟んだ他方の部分と前記突出板部とを、前記入隅部の各壁面方向に沿って突出させるボード下地金物。
【発明の詳細な説明】
【技術分野】
【０００１】
本発明は、屋内の入隅部において、屋内壁面を構成する一対のボード板を柱に支持させて取り付けるための屋内壁用ボード板の入隅部取付け構造、及び該取付け構造に用いるボード下地金物に関する。
【背景技術】
【０００２】
在来軸組工法や枠組壁工法等による木造住宅建築物では、屋内に設けらる仕切壁の両側面や、外壁の内側面に、屋内壁面を構成する内装石膏ボードや合板等からなるボード板が取り付けられ、これらのボード板に対して、各種の壁用の化粧が施される。これらのボード板は、木造住宅建築物における仕切壁や外壁の骨組み部材である柱や間柱、横架材等に対して、固定釘やビス等を打ち込むことにより、屋内壁面に沿って取り付けられる。
【０００３】
一方、一対の屋内壁が直角に交わるように接合される入隅部では、このような入隅部における壁の内部に骨組み部材として柱が配置されるのが一般的であるが、柱に支持させて一対のボード板の側端部同士を隙間無く精度良く接合することが困難だった。すなわち、従来の入隅部におけるボード板の取付け構造によれば、例えば図６に示すように、入墨部５１に位置する柱５０の角部５２を挟んだ両側に、当該角部５２に沿って木製の角材からなる当木５３を縦方向に取り付け、各当木５３に、接合される一方のボード板５４ａの側端部と、他方のボード板５４ｂの側端部とを固定ビス５５等を介して各々固定するものであったが、このような取付け構造によれば、当木５３は木製の材料であるため品質が安定せず、凹凸や反りの存在によって、ボード板５４ａ，５４ｂの側端部を強固に密着させることができない場合がある。また取付け時にボード板５４ａ，５４ｂの側端部を精度良く取り付けることができても、経年変化によって乾燥収縮等の影響により当木５３に反り等が発生して、入墨部５１における壁面に狂いやチリキレが生じやすくなる。
【０００４】
これに対し、亜鉛引き鉄板やステンレス等を用いて形成されるＬ字状断面の金属製の壁ジョイナーを用いた、間仕切り壁の接合構造が開示されている（例えば、特許文献１参照）。この特許文献１によれば、内壁とその外側に平行に配置される外壁との壁間に設けられる間柱に、前記壁ジョイナーのＬ字状断面の一片部の外側面を当接させて取り付けると共に、前記間柱と垂直に配置される他の間柱に、前記壁ジョイナーのＬ字状断面の他片部の外側面を当接させて取り付け、これらの片部の内側面に沿って、直角に配置される一対の壁板の側端部を各々固定するようにしたものである。
【特許文献１】特開平１４−２４２３４４号公報
【発明の開示】
【発明が解決しようとする課題】
【０００５】
しかしながら、特許文献１に記載の取付け構造によれば、壁ジョイナーは、柱に直接取り付けらるものではなく、柱に隣接して別途設けられた一対の間柱に跨って取り付けられるものであるため、その構成が複雑になると共に、間柱に向けて打ち込まれる固定ビスや固定釘の頭部がＬ字状断面の各片部の内側面に係止されている状態で、これらを覆って壁板の側端部が当該内側面に密着配置されることになるため、固定ビスや固定釘の頭部が出っ張っていると、隙間が生じて壁板の側端部を入隅部において精度良く取り付けることが困難になる。
【０００６】
本発明は、このような従来の課題に着目してなされたもので、簡易な構成によって、一対の屋内壁面が直角に交わる入隅部において、柱に支持させて一対のボード板の端部同士を隙間無く精度良く接合することを可能にする屋内壁用ボード板の入隅部取付け構造、及び該取付け構造に用いるボード下地金物を提供することを目的とする。
【課題を解決するための手段】
【０００７】
本発明は、屋内の入隅部において、屋内壁面を構成する一対のボード板を柱に支持させて取り付けるための屋内壁用ボード板の入隅部取付け構造であって、ビスをネジ込み貫通させることが可能な厚さの帯板状の薄鉄板を用いて形成された、基板部と該基板部の中央部分から垂直に延設する突出板部とからなるＴ字断面形状を有するボード下地金物を、前記基板部と前記突出板部との接合部分を前記柱の角部に沿わせて配置すると共に、前記基板部の前記突出板部を挟んだ一方の部分の背面を前記柱に密着させ、前記柱に向けてビスをネジ込むことにより、前記基板部の前記突出板部を挟んだ他方の部分と前記突出板部とを前記入隅部の各壁面方向に沿って突出させた状態で前記ボード下地金物を前記柱に固定し、前記入隅部の一方の屋内壁面を構成するボード板の側端部を、前記基板部の前記突出板部を挟んだ他方の部分に沿わせてビスをネジ込んで固定すると共に、前記入隅部の他方の屋内壁面を構成するボード板の側端部を前記突出板部に沿わせてビスをネジ込んで固定することにより、前記一対のボード板の各側端部を前記柱に支持させて取り付ける屋内壁用ボード板の入隅部取付け構造を提供することにより、上記目的を達成したものである。
【０００８】
また、本発明の屋内壁用ボード板の入隅部取付け構造よれば、前記帯板状の薄鉄板は、０．５〜１．２ｍｍの厚さを備えていることが好ましい。
【０００９】
さらに、本発明の屋内壁用ボード板の入隅部取付け構造よれば、前記基板部の前記突出板部を挟んだ他方の部分には、前記接合部分に近接して、これと平行に延設する直角段差部が設けられており、該直角段差部を前記柱の角部に係止した状態で、前記ボード下地金物を前記柱に固定することもできる。
【００１０】
また、本発明は、上記いずれかに記載の屋内壁用ボード板の入隅部取付け構造に用いるボード下地金物であって、０．５〜１．２ｍｍの厚さの帯板状の薄鉄板により、基板部と該基板部の中央部分から垂直に延設する突出板部とからなるＴ字断面形状に形成され、前記基板部と前記突出板部との接合部分を前記柱の角部に沿わせて配置すると共に、前記基板部の前記突出板部を挟んだ一方の部分の背面を前記柱に密着さることにより、前記基板部の前記突出板部を挟んだ他方の部分と前記突出板部とを、前記入隅部の各壁面方向に沿って突出させるボード下地金物を提供することにより、上記目的を達成したものである。
【発明の効果】
【００１１】
本発明の屋内壁用ボード板の入隅部取付け構造、及び該取付け構造に用いるボード下地金物によれば、簡易な構成によって、一対の屋内壁面が直角に交わる入隅部において、柱に支持させて一対のボード板の端部同士を隙間無く精度良く接合することができる。
【発明を実施するための最良の形態】
【００１２】
本発明の好ましい第１実施形態に係る屋内壁用ボード板の入隅部取付け構造は、図１に示すように、例えば在来軸組工法による木造住宅建築物において、外壁の屋内側の壁面２１ａと、屋内に設けられる壁である間仕切壁の壁面２１ｂとが直角に交わるように接合される入隅部２０において、これらの屋内壁面２１ａ，２１ｂを構成する一対のボード板１１ａ，１１ｂの側端部を、外壁と間仕切壁との交差接合部分の壁の内部に配置されたコーナー柱１２に支持させつつ、強固且つ精度良く取り付けるための取付け構造として採用されたものである。なお、ボード板１１ａ，１１ｂは、これらの一方の側端部を、後述する本第１実施形態のボード下地金物１０を介してコーナー柱１２に支持固定すると共に、他の部分を、壁の骨組み部材である横架材や間柱等に固定して屋内壁面に沿って取り付けられると共に、これらのボード板１１ａ，１１ｂの表面には、各種の壁用の化粧が施されて、屋内壁が形成されることになる。
【００１３】
そして、本第１実施形態の屋内壁用ボード板の入隅部取付け構造は、屋内の入隅部２０において、屋内壁面２１ａ，２１ｂを構成する一対のボード板１１ａ，１１ｂをコーナー柱１２に支持させて取り付けるための取付け構造であって、図２にも示すように、ビス１３をネジ込み貫通させることが可能な厚さの帯板状の薄鉄板２２を用いて形成された、基板部１４と該基板部１４の中央部分から垂直に延設する突出板部１５とからなるＴ字断面形状を有するボード下地金物１０を、基板部１４と突出板部１５との接合部分１６をコーナー柱１２の角部１７に沿わせて配置すると共に、基板部１４の突出板部１５を挟んだ一方の部分１８の背面をコーナー柱１２に密着させ、コーナー柱１２に向けてビス１３をネジ込むことにより、基板部１４の突出板部１５を挟んだ他方の部分１９と突出板部１５とを、入隅部２０の各壁面２１ａ，２１ｂ方向に沿って突出させた状態でボード下地金物１０をコーナー柱１２に固定し、入隅部２０の一方の屋内壁面２１ａを構成するボード板１１ａの側端部を、基板部１４の突出板部１５を挟んだ他方の部分１９に沿わせてビス１３をネジ込んで固定すると共に、入隅部２０の他方の屋内壁面２１ｂを構成するボード板１１ｂの側端部を、突出板部１５に沿わせてビス１３をネジ込んで固定することにより、一対のボード板１１ａ，１１ｂの各側端部をコーナー柱１２に支持させて取り付けるようにしたものである。
【００１４】
ここで、本第１実施形態によれば、屋内壁面２１ａ，２１ｂを構成するボード部材１１ａ，１１ｂは、壁用耐力面材として知られる種々のボード部材を用いることができ、好ましくは例えば内装石膏ボード、ケイ酸カルシウム板、スレート板、火山性ガラス質復層板、パーライト板、木片セメント板、合板、ＭＤＦ板等を用いることができる。
【００１５】
また、本第１実施形態によれば、ボード下地金物２１は、ビスをネジ込み貫通させることが可能な厚さの帯板状の薄鉄板２２として、好ましくはメッキによって防錆処理された０．５〜１．２ｍｍの厚さの鋼板に、折曲げ加工等を施すことによって容易に形成することができる。すなわち、図３（ａ），（ｂ）に示すように、例えば巾が１２０〜２２０ｍｍ程度、長さがボード板１１ａ，１１ｂの設置高さに対応した１８００〜３０００ｍｍ程度の縦長矩形形状の帯板状の薄鉄板２２を、長手方向に沿った中央部分で二つ折りに折曲げると共に、折り曲げた一方の片２２ａを長手方向に沿った中央部分で立設させるように折り返した状態で、当該一方の片２２ａの折り返さない残りの半分の部分を他方の片２２ｂに押し付けるようにして密着させることにより、基板部１４と該基板部１４の中央部分から垂直に延設する突出板部１５とからなるＴ字断面形状を有するボード下地金物１０が、容易かつ高精度に形成されることになる。
【００１６】
そして、本第１実施形態の入隅部取付け構造によって、入隅部２０において、屋内壁面２１ａ，２１ｂを構成する一対のボード板１１ａ，１１ｂの側端部をコーナー柱１２に支持させて取り付けるには、まずＴ字断面形状を有するボード下地金物１０を、図１及び図２に示すように、基板部１４と突出板部１５との接合部分１６の背面を、コーナー柱１２の入隅部２０に位置する角部１７に沿わせるように重ねて配置すると共に、基板部１４の突出板部を挟んだ一方の部分１８の背面をコーナー柱１２の側面に密着させた状態で、当該一方の部分１８を貫通させてコーナー柱１２に向けてビス１３をネジ込むことにより、ボード下地金物１０をコーナー柱１２に強固に固定する。
【００１７】
ここで、ビス１３は、所定の配置及びピッチで複数ネジ込まれることにより、ボード下地金物１０は、強固且つ安定した状態でコーナー柱１２に固定されることになる。またボード下地金物１０は、金属製の薄鉄板２２からなり、工場等においてその直線性を保持した状態で精度良く形成されるので、施工現場において例えばコーナー柱１２が若干傾いて設置されている場合でも、このような立ちの狂いを修正して、ボード板１１ａ，１１ｂの側端部を更に精度良く取り付けることを可能にする。すなわち、コーナー柱１２が傾いる場合に、これの側面に沿ってボード下地金物１０の傾きを調整したり、コーナー柱１２の側面とボード下地金物１０の基板部１４の背面との間に薄いプレート材を介在させて傾きを調整することにより、ボード下地金物１０を垂直に精度良く立設させた状態で固定することが可能になる。なお、ボード下地金物１０は、ボード板１１ａ，１１ｂの側端部の全高さに亘って連続して取り付ける必要は必ずしもなく、少なくとも、ボード板１１ａ，１１ｂの側端部を精度良く配置するのに充分な、相当の長さで設けられていれば良い。また、ボード下地金物１０は、連続することなく高さ方向に分断された状態で取り付けられていても良い。
【００１８】
次に、コーナー柱１２に取り付けられたボード下地金物１０をガイドとして、外壁の屋内側の壁面２１ａを構成するボード板１１ａの側端部を、基板部１４の突出板部１５を挟んだ他方の部分１９に沿わせて複数のビス１３をネジ込んで固定すると共に、間仕切壁の壁面２１ｂを構成するボード板１１ｂの側端部を、突出板部１５に沿わせて復数のビス１３をネジ込んで固定する。すなわち、例えば一方のボード板１１ａの端面を突出板部１５の基端部に当接させるようにしつつ、当該ボード板１１ａの側端部の背面を、基板部１４の他方の部分１９に密着させてビス１３で固定すると共に、他方のボード板１１ｂの端面を固定された一方のボード板１１ａの端部に当接させるようにしつつ、当該ボード板１１ｂの側端部の背面を、突出板部１５に密着させてビス１３で固定する。
【００１９】
このようなボード板１１ａ，１１ｂの側端部の取付け作業は、予め精度良くコーナー柱１２に取り付けられたボード下地金物１０をガイドとして、容易且つ精度良く行うことが可能になる。また当該側端部の固定は、ボード板１１ａ，１１ｂの外側からボード下地金物１０に向けてビス１３をネジ込むことによって行われ、ボード板１１ａ，１１ｂの側端部の背面と、ボード下地金物１０の基板部１４の他方の部分１９や突出板部１５の表面との間には、ビス１３の頭部が介在しないことになるので、これらを強固に密着させて、ボード板１１ａ，１１の側端部を入隅部２０に安定した状態で隙間無く取り付けることが可能になる。なお、一方のボード板１１ａと他方のボード板１１ｂは、これらの順序を逆にして、側端部をボード下地金物１０に取り付けることもできる。また、図２において符号２３で示されるものは、ボード板１１ａ，１１ｂの下端部を覆って取り付けられる巾木又は畳寄せである。
【００２０】
そして、本第１実施形態の屋内壁用ボード板の入隅部取付け構造によれば、簡易な構成によって、一対の屋内壁面２１ａ，２１ｂが直角に交わる入隅部２０において、コーナー柱１２に支持させて一対のボード板の端部同士を隙間無く精度良く接合することができる。すなわち、本実施形態によれば、Ｔ字断面形状のボード下地金物１０を、コーナー柱１２の角部１７に設置し、これをガイドとしてボード板１１ａ，１１ｂの側端部を取り付けるといった簡易な構成を備えると共に、ボード下地金物１０は、金属製の薄鉄板からなり、品質が安定していて経年変化によっても変形しないので、入墨部２０における壁面に狂いやチリキレを生じさせることなく、ボード板１１ａ，１１ｂの端部同士を隙間無く精度良く接合することが可能になる。
【００２１】
図４は、本発明の好ましい第２実施形態に係る屋内壁用ボード板の入隅部取付け構造を示すものである。本第２実施形態によれば、ボード板３１ａ，３１ｂの背面側の通り線が、コーナー柱３２の側面よりも一段下がった形態の入隅部３３において、屋内壁面３４ａ，３４ｂを構成する一対のボード板３１ａ，３１ｂの側端部を、コーナー柱３２に支持させつつ、強固且つ精度良く取り付けるための取付け構造として採用されたものである。すなわち、本第２実施形態によれば、Ｔ字断面形状のボード下地金物３０として、図５に示すような、基板部３５の突出板部３６を挟んだ他方の部分３７に、基板部３５と突出板部３６との接合部分３８に近接して、これと平行に延設する直角段差部３９が設けられたものを使用する。そして、この直角段差部３９をコーナー柱３２の角部４０に係止した状態で、ボード下地金物３０をコーナー柱３２に固定し、直角段差部３９の角部を挟んだ両側の側面にボード板３１ａ，３１ｂの各端面を当接させた状態で、一対のボード板３１ａ，３１ｂの端部同士が接合されることになる。
【００２２】
そして、本第２実施形態の屋内壁用ボード板の入隅部取付け構造によっても、コーナー柱３２の角部４０に設置されたＴ字断面形状のボード下地金物３０をガイドとしてボード板３１ａ，３１ｂの側端部を取り付けることにより、上記第１実施形態と同様の作用効果を奏することになる。
【００２３】
なお、本発明は上記各実施形態に限定されることなく種々の変更が可能である。例えばＴ字断面形状のボード下地金物は、一枚の帯板状の薄鉄板を折り曲げて形成する必要は必ずしもなく、例えば矩形帯板形状の平板部材の片側に、Ｌ字断面形状の部材を接合して、全体としてＴ字断面形状に形成することもできる。
【図面の簡単な説明】
【００２４】
【図１】本発明の好ましい第１実施形態に係る屋内壁用ボード板の入隅部取付け構造の構成を説明する部分破断斜視図である。
【図２】本発明の好ましい第１実施形態に係る屋内壁用ボード板の入隅部取付け構造の構成を説明する断面図である。
【図３】（ａ）及び（ｂ）はボード下地金物の構成を説明する斜視図である。
【図４】本発明の好ましい第２実施形態に係る屋内壁用ボード板の入隅部取付け構造の構成を説明する断面図である。
【図５】ボード下地金物の他の使用形態を説明する斜視図である。
【図６】従来の屋内壁用ボード板の入隅部取付け構造の構成をを説明する断面図である。
【符号の説明】
【００２５】
１０，３０  ボード下地金物
１１ａ，１１ｂ，３１ａ，３１ｂ  ボード板
１２，３２  コーナー柱
１３  ビス
１４，３５  基板部
１５，３６  突出板部
１６，３８  基板部と突出板部との接合部分
１７，４０  コーナー柱の角部
１８  基板部の突出板部を挟んだ一方の部分
１９，３７  基板部の突出板部を挟んだ他方の部分
２０，３３  入隅部
２１ａ，２１ｂ，３４ａ，３４ｂ  屋内壁面
２２  薄鉄板
３９  直角段差部
【図１】
2005232699.tif 000003
【図２】
2005232699.tif 000004
【図３】
2005232699.tif 000005
【図４】
2005232699.tif 000006
【図５】
2005232699.tif 000007
【図６】
2005232699.tif 000008